(57)【要約】      （修正有）【課題】患者の手又は足を確実にベッド等の被固定物に固定可能とするとともに、取り外しの際には、片手でも容易に解除可能とした抑制帯を提供する。【解決手段】両端に一対の留具６、７を備えるとともに、患者の手又は足を両側から巻回する巻回帯１と、この巻回帯に接続固定され、患者の手又は足を、巻回帯を介して被固定物に固定する固定帯５とを備えたものにおいて、留具のうち、一方の留具には、巻回帯の表面から突出した環状の環状部を備えるとともに、他方の留具には、この環状部を挿通係合可能とする係合穴と、この係合穴に環状部を挿通係合した状態で、環状部に挿通可能とした閂部材とを備える。【選択図】図１
2017148086.tif 000002
【特許請求の範囲】
【請求項１】
両端に一対の留具を備えるとともに患者の手又は足を両側から巻回する巻回帯と、この巻回帯に接続固定され、患者の手又は足を、巻回帯を介して被固定物に固定する固定帯とを備えたものにおいて、上記留具のうち、一方の留具には、巻回帯の表面から突出した環状の環状部を備えるとともに、他方の留具には、この環状部を挿通係合可能とする係合穴と、この係合穴に上記環状部を挿通係合した状態で、該環状部に挿通可能とした閂部材とを備えたことを特徴とする抑制帯。
【請求項２】
他方の留具は、二本のベルト材から成り、この二本のベルト材の一方のベルト材に係合穴を備えるとともに、他方のベルト材に閂部材を備えたことを特徴とする請求項１の抑制帯。
【請求項３】
閂部材には、摘み片を設けたことを特徴とする請求項２の抑制帯。
【発明の詳細な説明】
【技術分野】
【０００１】
本発明は、手術中の患者の手又は足の動きを抑制するための抑制帯に関するものである。
【背景技術】
【０００２】
従来より、手術中の患者の安全性の確保や手術の円滑化を図るために、特許文献１、２に示す如く患者の手又は足をベッドや手台、足台等の被固定物に固定して動きを抑制するための抑制帯が使用されている。この抑制帯は特許文献１、２に示す如く帯状であって、患者の手又は足に巻回して被固定物に固定することを目的としている。
【０００３】
そして特許文献１、２に記載の抑制帯は、手又は足を巻回する巻回帯の両端に留具を設け、この留具を係合することによって巻回帯を巻回固定可能としている。
【先行技術文献】
【特許文献】
【０００４】
【特許文献１】特公昭６１−１９２７１号公報
【特許文献２】実用新案登録第３１８５７１４号公報
【発明の開示】
【発明が解決しようとする課題】
【０００５】
しかしながら、特許文献１、２に示す如き抑制帯は、患者の手又は足に巻回した巻回帯を外す際に、この巻回帯の両端に設けた留具をそれぞれ両手でしっかりと把持しなければ留具の解除が困難なものであった。そのため、留具の解除に手間や時間がかかるものとなり、患者への負担が大きくなるとともに医療従事者にとっても、解除作業を行う際には両手がふさがってしまうため円滑な作業の妨げとなっていた。
【０００６】
そこで、本発明は上述の如き課題を解決しようとするものであって、患者の手又は足を確実にベッドや手台、足台等の被固定物に固定可能とするとともに、取り外しの際には、片手でも容易に解除可能とした抑制帯を得ようとするものである。
【課題を解決するための手段】
【０００７】
本発明は上述の如き課題を解決するため、両端に一対の留具を備えるとともに、患者の手又は足を両側から巻回する巻回帯と、この巻回帯に接続固定され、患者の手又は足を、巻回帯を介して被固定物に固定する固定帯とを備えたものにおいて、上記留具のうち、一方の留具には、巻回帯の表面から突出した環状の環状部を備えるとともに、他方の留具には、この環状部を挿通係合可能とする係合穴と、この係合穴に上記環状部を挿通係合した状態で、該環状部に挿通可能とした閂部材とを備えたものである。
【０００８】
また、他方の留具は、二本のベルト材から成り、この二本のベルト材の一方のベルト材に係合穴を備えるとともに、他方のベルト材に閂部材を備えたものであってもよい。
【０００９】
また、閂部材には、摘み片を設けたものであってもよい。
【発明の効果】
【００１０】
本発明は上述の如く、一方の留具に環状部を設けるとともに、他方の留具に、上記環状部を挿通係合可能とする係合穴と、この係合穴に上記環状部を挿通係合した状態で、該環状部に挿通可能とした閂部材とを備えたものであるから、係合穴に環状部を挿通係合した状態で閂部材を挿通配置することにより、一対の留具を解除困難に接続することができ、抑制帯にて患者の手又は足をベッド等の被固定部に確実に固定することができる。
【００１１】
また、この接続の解除時には、上記閂部材を環状部から引き抜くとともに係合穴と環状部との係合を解除することにより、一方の留具と他方の留具とを容易に分離することができるものである。そのため、両手で留具をしっかりと把持する必要はなく、片手で閂部材を環状部の挿通方向とは反対方向に引っ張ることにより、環状部から閂部材が離脱するとともに環状部と係合穴との係合が解除するものとなるため、片手で留具の解除を簡単に行うことができる。従って、医療従事者の両手を塞ぐことなく解除作業を円滑に行うことができ、患者や医療従事者の負担を軽減することが可能となる。
【実施例１】
【００１２】
本発明の実施例１について説明すると、図１、２に示す如く(1)は巻回帯であって、患者の手又は足を両側から巻き回し、下記の載置部(2)に固定するためのものである。そしてこの巻回帯(1)には載置部(2)を固定配置しており、この載置部(2)の表面(3)に、患者の手又は足を載置するものである。また、上記巻回帯(1)の載置部(2)固定側とは反対側の表面には、ベッドや手台、足台等の被固定物(4)に載置部(2)を固定するための固定帯(5)を固定配置している。
【００１３】
本実施例について更に詳細に説明すると、図１、２に示す如く、長方形状の載置部(2)に、長尺な帯状の巻回帯(1)を載置部(2)の長さ方向に沿って固定配置している。そして、この巻回帯(1)の両端部にはそれぞれ一対の留具(6)(7)を設けており、この留具(6)(7)を接続することにより、巻回帯(1)の両端部を連結することができる。
【００１４】
上記一対の留具(6)(7)について詳細に説明すると、図２に示す如く一方の留具(6)は、巻回帯(1)の一方端部(8)に設けたものであって、この留具(6)の表面には、図３〜５に示す如く巻回帯(1)の表面から垂直方向に突出した略コ字型の環状部(10)を固定配置している。また他方の留具(7)は巻回帯(1)の他方端部(11)に設けたものであって、図３に示す如く二本のベルト材(12)(13)から成るものである。
【００１５】
そして、この二本のベルト材(12)(13)のうちの一方のベルト材(12)の先端には、上記一方の留具(6)に設けた環状部(10)を挿通可能とする係合穴(14)を設けている。また他方のベルト材(13)の先端には、図４、５に示す如く、上記環状部(10)に係合穴(14)を挿通係合した状態で、該環状部(10)に挿通可能とする、他方のベルト材(13)方向に長尺で平板状の閂部材(15)を設けている。またこの閂部材(15)には、図３に示す如く閂部材(15)の先端方向とは反対方向に突出した摘み片(17)を設けている。
【００１６】
また上記巻回帯(1)の載置部(2)配置側とは反対側の裏面には、図１、２に示す如く固定帯(5)を設けている。そして、この固定帯(5)の載置部(2)を挟んだ両側には一対の接続具(18)を各々設けており、この一対の接続具(18)を接続することにより、固定帯(5)を環状に連結することができる。
【００１７】
尚、本実施例及び以下の実施例では、上記留具(6)(7)、及び接続具(18)として、金属製のものや面ファスナーを使用せずにプラスチック製のものを使用している。金属製のものは手術で電気メス等を使用した際に火花が飛び散る等の危険性が伴うものであり、また面ファスナーは繰り返しの洗浄によって接着性能が低下するため、手術中に巻回帯(1)や固定帯(5)が外れて患者の手又は足の固定が困難となるおそれがある。
【００１８】
上記の如く構成したものを患者の足に装着する場合について以下に説明する。尚、本実施例では足台を被固定物(4)としている。また、以下では患者の足に装着する場合について説明するが、患者の手に装着する場合も同様に行うことができる。
【００１９】
まず、載置部(2)の裏面側が被固定物(4)の表面に接触するよう載置部(2)を被固定物(4)上に載置する。そして、このように被固定物(4)に載置した載置部(2)の裏面側に位置する固定帯(5)を被固定物(4)の底面側に巻き回し、この固定帯(5)に設けた接続具(18)を被固定物(4)の底面側にて連結することにより、載置部(2)を被固定物(4)に固定する。
【００２０】
次に、上記の如く被固定物(4)に固定した載置部(2)の表面(3)に患者の足を載置するとともに、この載置部(2)上の患者の足の両側から巻回帯(1)を足の上方に巻き回し、図４に示す如く対向する一対の留具(6)(7)を接続する。この一対の留具(6)(7)の接続方法について説明すると、まず巻回帯(1)の一端に設けた一方の留具(6)の環状部(10)に、巻回帯(1)の他端に設けた他方の留具(7)の係合穴(14)を係合配置する。
【００２１】
そして、このように環状部(10)を挿通穴に係合配置した状態で、環状部(10)に他方の留具(7)の閂部材(15)を挿通する。これにより図４、５に示す如く一方の留具(6)と他方の留具(7)とが接続された状態となり、図７に示す如く患者の足が抑制帯によって被固定物(4)に固定されるものとなる。
【００２２】
このように、係合穴(14)に環状部(10)を挿通係合した状態で閂部材(15)を挿通配置することにより、一対の留具(6)(7)を解除困難に接続することができる。更に、上記閂部材(15)を備えた他方のベルト材(13)を、剛性のあるポリエステルにて形成していることから、閂部材(15)を係合穴(14)に挿通配置した際に、閂部材(15)が挿通方向に付勢された状態で配置されるものとなる。
【００２３】
そのため、この他方のベルト材(13)を付勢方向とは反対方向に意図して引っ張らない限りは、閂部材(15)が環状部(10)から不用意に外れるおそれが少ないものである。そのため、患者の足を巻回帯(1)にて確実に被固定物(4)に固定することができる。
【００２４】
次に、上記一対の留具(6)(7)の接続を解除する方法について説明すると、まず、図６に示す如く他方の留具(7)の摘み片(17)を指でつまんで他方のベルト材(13)の付勢方向とは逆方向に引っ張る。これにより、他方のベルト材(13)に設けた閂部材(15)が環状部(10)から引き抜かれるとともに、係合穴(14)から環状部(10)が外れるものとなり、図３に示す如く一対の留具(6)(7)の接続が解除される。
【００２５】
このように、他方の留具(7)の摘み片(17)をつまんで引っ張ることにより一対の留具(6)(7)の接続を容易に解除することができるため、両手で留具(6)(7)をしっかりと把持する必要はなく、片手でも留具(6)(7)の解除を簡単に行うことができる。そのため、医療従事者の両手を塞ぐことなく解除作業を円滑に行うことが可能となり、患者や医療従事者の負担を軽減することができる。
【実施例２】
【００２６】
上記実施例１では、図１、２に示す如く１個の抑制帯に巻回帯(32)を１箇所にのみ設けているが、本実施例では図８に示す如く、一つの抑制帯に巻回帯(32)及び固定帯(36)を複数箇所設けている。そして、この巻回帯(32)及び固定帯(36)は、上記実施例１と同じ構成としている。
【００２７】
そして本実施例の抑制帯は図８に示す如く、長方形の覆布(35)の表面中央側に２箇所、載置部(31)と巻回帯(32)とを接続固定している。更にこの覆布(35)の裏面中央側には、固定帯(36)を３か所、等間隔に設けている。この固定帯(36)のうち２本は上記巻回帯(32)の対応位置にそれぞれ設け、残りの１本は上記２本の間に設けている。
【００２８】
上記の如く構成した抑制帯を患者の足に装着する場合について以下に説明する。まず、載置部(31)側を上面に配置した状態で、本実施例の抑制帯を被固定物(図示せず。)上に載置する。そして、覆布(35)の裏面に設けた固定帯(36)を被固定物の底面側に巻き回し、被固定物の底面にて対向する固定帯(36)の接続具(18)どうしを接続することにより、載置部(31)が被固定物に固定される。
【００２９】
次に、載置部(31)とともに巻回帯(32)を被固定物上の患者の足の両側から上方に巻き回し、各巻回帯(32)毎に対向する留具(6)(7)を連結することにより、患者の足を載置部(31)に固定する。これにより、患者の足が抑制帯によって被固定物に固定されるものとなる。
【００３０】
更に、載置部(31)の裏面側に配置した覆布(35)を患者の足の両側から上面にかけて覆うことにより、覆布(35)にて巻回帯(32)ごと患者の足を被覆して足の保温を行うことができる。また、被固定物の底面側にて接続帯の固定具から更に伸びる固定帯(36)の両端部(37)を患者の足の上方に巻き回し、固定帯(36)の端部(37)に設けたスナップ(38)を対向する端部(37)どうしで固定し、固定帯(36)の端部(37)を患者の足の上方にて固定する。これにより患者の足に被覆した覆布(35)が固定され、この覆布(35)の被覆状態を良好に保つことができる。以上により、患者の足への抑制帯の装着作業が終了する。
【００３１】
そして、上記一対の留具(6)(7)の接続を解除する場合について説明すると、まず、固定帯(36)のスナップ(38)による接続を解除するとともに覆布(35)を患者の足から外すことにより、留具(6)(7)を露出状態とする。そして図６に示す如く、他方の留具(7)の摘み片(17)を指でつまんで他方のベルト材(13)の付勢方向とは反対方向に引っ張る。これにより、図３に示す如く他方のベルト材(13)に設けた閂部材(15)が環状部(10)から引き抜かれるとともに、係合穴(14)から環状部(10)が外れるものとなり、両者の係合が解除される。
【００３２】
このように、留具(7)の摘み片(17)を指でつまんで引っ張ることにより一対の留具(6)(7)の接続を容易に解除することができるため、複数の留具(6)(7)の解除を片手で容易且つ迅速に行うことができ、作業を円滑且つ効率良く進めることができる。
【図面の簡単な説明】
【００３３】
【図１】本発明の実施例１の載置部側を示す平面図。
【図２】実施例１の固定帯側を示す平面図。
【図３】実施例１、２の一対の留具の接続解除状態を示す斜視図。
【図４】実施例１、２の一対の留具の接続状態を示す斜視図。
【図５】図４のＡ−Ａ線断面図。
【図６】実施例１、２の摘み片を引っ張る状態を示す概念図。
【図７】実施例１の抑制帯を患者に装着した状態を示す概念図。
【図８】実施例２を示す平面図。
【符号の説明】
【００３４】
１，３２  巻回帯
４        被固定物
５，３６  固定帯
６，７    留具
１０        環状部
１２，１３  ベルト材
１４        係合穴
１５        閂部材
１７        摘み片
【図１】
2017148086.tif 000003
【図２】
2017148086.tif 000004
【図３】
2017148086.tif 000005
【図４】
2017148086.tif 000006
【図５】
2017148086.tif 000007
【図６】
2017148086.tif 000008
【図７】
2017148086.tif 000009
【図８】
2017148086.tif 000010